(57)【特許請求の範囲】
【請求項１】
通信方法であって、
端末がネットワーク機器から送信される、第１リソースを示すための第１指示情報を受信することと、
前記端末が第２リソースにおける前記第１リソースと重ならない第３リソースを使用して前記ネットワーク機器にアップリンクチャネル又はアップリンク信号を送信することと、を含み、
前記端末が前記第３リソースを使用して前記ネットワーク機器にアップリンクチャネル又はアップリンク信号を送信することは、
前記端末が前記第２リソースにおける前記第１リソースと重ならない第１リソースユニットの第２数を決定することと、
前記端末が前記第２数に基づいて前記アップリンクチャネル又は前記アップリンク信号に対してレートマッチングを行って、長さが第２ビット数の出力系列を取得することであって、前記第２ビット数が前記第２数に基づいて前記端末により決定されたものであることと、
前記端末が前記出力系列を変調して、前記第２数の変調シンボルを取得することと、
前記端末が前記第２数の変調シンボルを前記第２数の前記第１リソースユニットにマッピングすることと、を含むことを特徴とする、前記通信方法。
【請求項２】
前記第１指示情報は前記第１リソースの時間領域位置及び／又は前記第１リソースの周波数領域位置を示すことに用いられることを特徴とする
請求項１に記載の通信方法。
【請求項３】
前記第１指示情報は第１リソースの占有したＮ（Ｎが非負整数である）個の時間領域シンボルを示すことに用いられ、
前記端末が前記第３リソースを使用して前記ネットワーク機器にアップリンクチャネル又はアップリンク信号を送信することは、
前記端末が前記第３リソースを使用して前記ネットワーク機器に前記アップリンクチャネル又は前記アップリンク信号を送信することを含み、前記第３リソースの占有したＭ（Ｍが正整数である）個の時間領域シンボルは前記Ｎ個の時間領域シンボルを含まないことを特徴とする
請求項１に記載の通信方法。
【請求項４】
前記端末がネットワーク機器から送信される第１指示情報を受信することは、
前記端末が前記ネットワーク機器から送信される、前記第１指示情報を搬送しているダウンリンク制御シグナリングを受信することを含むことを特徴とする
請求項３に記載の通信方法。
【請求項５】
前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含むことを特徴とする
請求項１〜４のいずれか１項に記載の通信方法。
【請求項６】
端末であって、
ネットワーク機器から送信される、第１リソースを示すための第１指示情報を受信するための受信モジュールと、
第２リソースにおける前記第１リソースと重ならない第３リソースを使用して前記ネットワーク機器にアップリンクチャネル又はアップリンク信号を送信するための送信モジュールと、を含み、
前記送信モジュールは、具体的に、
前記第２リソースにおける前記第１リソースと重ならない第１リソースユニットの第２数を決定し、
前記第２数に基づいて前記アップリンクチャネル又は前記アップリンク信号に対してレートマッチングを行って、長さが第２ビット数の出力系列を取得し、前記第２ビット数が前記第２数に基づいて前記端末により決定されたものであり、
前記出力系列を変調して、前記第２数の変調シンボルを取得し、
前記第２数の変調シンボルを前記第２数の前記第１リソースユニットにマッピングすることに用いられることを特徴とする、前記端末。
【請求項７】
前記第１指示情報は前記第１リソースの時間領域位置及び／又は前記第１リソースの周波数領域位置を示すことに用いられることを特徴とする
請求項６に記載の端末。
【請求項８】
前記第１指示情報は第１リソースの占有したＮ（Ｎが非負整数である）個の時間領域シンボルを示すことに用いられ、
前記送信モジュールは、具体的に、前記第３リソースを使用して前記ネットワーク機器に前記アップリンクチャネル又は前記アップリンク信号を送信することに用いられることを特徴とする
請求項６に記載の端末。
【請求項９】
前記受信モジュールは、具体的に、
前記ネットワーク機器から送信される、前記第１指示情報を搬送しているダウンリンク制御シグナリングを受信することに用いられることを特徴とする
請求項８に記載の端末。
【請求項１０】
前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含むことを特徴とする
請求項６〜９のいずれか１項に記載の端末。
【発明の詳細な説明】
【技術分野】
【０００１】
本開示は通信分野に関し、特に通信方法、端末及びネットワーク機器に関する。
【背景技術】
【０００２】
新無線（ＮＲ：Ｎｅｗ  Ｒａｄｉｏ）システム、例えば５Ｇにおいて、端末と基地局とが様々な長い時間長のアップリンクチャネル又はアップリンク信号をサポートすることができる。例えば、端末は１番目のタイムスロットにおける１つの時間領域シンボルを使用してアップリンクチャネル又はアップリンク信号を伝送することができる。
【０００３】
ＮＲシステムにおいて、一般的に、基地局が端末のためにあるアップリンクチャネル又はアップリンク信号を伝送するためのリソースを予約し、このため、ＮＲシステムに大量のリソースフラグメンテーションがある。且つ、予約したリソースには少量のリソースしか元のアップリンクチャネル又は元のアップリンク信号の伝送に実際に使用されていない恐れがある。
【０００４】
これらのリソースフラグメンテーションが他のチャネル又は信号に使用できないと、リソースの浪費となり、このため、リソースの利用率がより低い。
【発明の概要】
【発明が解決しようとする課題】
【０００５】
本開示はリソースの利用率を柔軟に向上させることができる通信方法、端末及びネットワーク機器を提供する。
【課題を解決するための手段】
【０００６】
第１態様では、本開示に係る通信方法であって、端末がネットワーク機器から送信される、第１リソースを示すための第１指示情報を受信することと、前記端末が前記第１指示情報に基づいて第２リソースにおける前記第１リソースと重ならない第３リソースを使用して前記ネットワーク機器にアップリンクチャネル又はアップリンク信号を送信することと、を含む。
【０００７】
本開示の通信方法において、端末はネットワーク機器から送信される第１指示情報に基づいて第２リソースにおける第１指示情報で示す第１リソースと重ならない第３リソースを使用してアップリンク信号又はアップリンクチャネルを送信することができ、従って端末はネットワーク機器の指示情報に基づいて第２リソースにおけるリソースを柔軟に使用してアップリンク信号又はアップリンクチャネルを送信することにより、第２リソースにおけるリソースの利用率を向上させることができる。
【０００８】
可能な実施態様では、前記第１指示情報は前記第１リソースの時間領域位置及び／又は前記第１リソースの周波数領域位置を示すことに用いられる。
【０００９】
可能な実施態様では、前記端末が前記第１指示情報に基づいて第２リソースにおける前記第１リソースと重ならない第３リソースを使用して前記ネットワーク機器にアップリンクチャネル又はアップリンク信号を送信することは、前記端末が前記第２リソースにおけるリソースユニットの第１数を決定することと、前記端末が前記第１数に基づいて前記アップリンクチャネル又は前記アップリンク信号に対してレートマッチングを行って、長さが第１ビット数の出力系列を取得することであって、前記第１ビット数が前記第１数に基づいて前記端末により決定されたものであることと、前記端末が前記出力系列を変調して、前記第１数の変調シンボルを取得することと、前記端末が前記第１数の変調シンボルを前記第２リソースにおけるリソースユニットにマッピングすることと、を含み、前記端末が前記第１数の変調シンボルのうちの第１リソースユニットにマッピングした変調シンボルを廃棄し、前記第１リソースユニットが前記第２リソースにおける前記第１リソースと重なるリソースユニットである。
【００１０】
可能な実施態様では、前記端末が前記第１指示情報に基づいて第２リソースにおける前記第１リソースと重ならない第３リソースを使用して前記ネットワーク機器にアップリンクチャネル又はアップリンク信号を送信することは、前記端末が前記第２リソースにおける前記第１リソースと重ならない第１リソースユニットの第２数を決定することと、前記端末が前記第２数に基づいて前記アップリンクチャネル又は前記アップリンク信号に対してレートマッチングを行って、長さが第２ビット数の出力系列を取得し、前記第２ビット数が前記第２数に基づいて前記端末により決定されたものであることと、前記端末が前記出力系列を変調して、前記第２数の変調シンボルを取得することと、前記端末が前記第２数の変調シンボルを前記第２数の前記第１リソースユニットにマッピングすることと、を含む。
【００１１】
可能な実施態様では、前記第１指示情報は第１リソースの占有したＮ（Ｎが非負整数である）個の時間領域シンボルを示すことに用いられ、前記端末が前記第１指示情報に基づいて第２リソースにおける前記第１リソースと重ならない第３リソースを使用して前記ネットワーク機器にアップリンクチャネル又はアップリンク信号を送信することは、前記端末が前記第１指示情報に基づいて第２リソースにおける第３リソースを使用して前記ネットワーク機器に前記アップリンクチャネル又は前記アップリンク信号を送信することを含み、前記第３リソースの占有したＭ（Ｍが正整数である）個の時間領域シンボルは前記Ｎ個の時間領域シンボルを含まない。
【００１２】
可能な実施態様では、前記端末がネットワーク機器から送信される第１指示情報を受信することは、前記端末が前記ネットワーク機器から送信される、前記第１指示情報を搬送（ｃａｒｒｙ）しているダウンリンク制御シグナリングを受信することを含み、前記ダウンリンク制御シグナリングには更に前記端末が前記アップリンクチャネル又は前記アップリンク信号を送信することを示すための第２指示情報を搬送している。
【００１３】
可能な実施態様では、前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含む。
【００１４】
第２態様では、本開示に係る通信方法であって、ネットワーク機器が第１リソースを示すための第１指示情報を端末に送信することと、前記ネットワーク機器は前記端末が前記第１指示情報に基づいて第２リソースにおける前記第１リソースと重ならない第３リソースを使用して送信したアップリンクチャネル又はアップリンク信号を受信することと、を含む。
【００１５】
本開示の通信方法において、ネットワーク機器が端末に第１指示情報を送信することにより、端末は該第１指示情報に基づいて第２リソースにおける第１指示情報で示す第１リソースと重ならない第３リソースを使用してアップリンク信号又はアップリンクチャネルを送信することができ、従って端末はネットワーク機器の指示情報に基づいて第２リソースにおけるリソースを柔軟に使用してアップリンク信号又はアップリンクチャネルを送信することにより、第２リソースにおけるリソースの利用率を向上させることができる。
【００１６】
可能な実施態様では、前記第１指示情報は前記第１リソースの時間領域位置及び／又は前記第１リソースの周波数領域位置を示すことに用いられる。
【００１７】
可能な実施態様では、前記ネットワーク機器が前記端末の前記第１指示情報に基づいて第２リソースにおける第３リソースを使用して送信したアップリンクチャネル又はアップリンク信号を受信することは、前記ネットワーク機器が前記第２リソースに含まれるリソースユニットから前記アップリンクチャネル又はアップリンク信号に対応する変調シンボルを取得することを含み、前記変調シンボルの数が前記第２リソースに含まれるリソースユニットの数に等しく、前記ネットワーク機器が第１リソースユニットから取得した変調シンボルを廃棄し、前記第１リソースユニットが前記第２リソースにおける前記第１リソースと重なるリソースユニットである。
【００１８】
可能な実施態様では、前記ネットワーク機器が前記端末の前記第１指示情報に基づいて第２リソースにおける第３リソースを使用して送信したアップリンクチャネル又はアップリンク信号を受信することは、前記ネットワーク機器が前記第２リソースに含まれるリソースユニットのうちの第１リソースユニットから前記アップリンクチャネル又はアップリンク信号に対応する変調シンボルを取得することを含み、前記変調シンボルの数が前記第２リソースに含まれる第１リソースユニットの数に等しく、前記第１リソースユニットが前記第２リソースにおける前記第１リソースと重ならないリソースユニットである。
【００１９】
可能な実施態様では、前記第１指示情報は第１リソースの占有したＮ（Ｎが非負整数である）個の時間領域シンボルを示すことに用いられ、前記ネットワーク機器が前記端末の前記第１指示情報に基づいて第２リソースにおける前記第１リソースと重ならない第３リソースを使用して送信したアップリンクチャネル又はアップリンク信号を受信することは、前記ネットワーク機器が前記端末の前記第１指示情報に基づいて第２リソースにおける第３リソースを使用して送信した前記アップリンクチャネル又は前記アップリンク信号を受信することを含み、前記第３リソースの占有したＭ（Ｍが正整数である）個の時間領域シンボルは前記Ｎ個の時間領域シンボルを含まない。
【００２０】
可能な実施態様では、前記ネットワーク機器が端末に第１指示情報を送信することは、前記ネットワーク機器が前記第１指示情報を搬送しているダウンリンク制御シグナリングを前記端末に送信することを含み、前記ダウンリンク制御シグナリングには更に前記端末が前記アップリンクチャネル又は前記アップリンク信号を送信することを示すための第２指示情報を搬送している。
【００２１】
可能な実施態様では、前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含む。
【００２２】
第３態様では、本開示に係る端末であって、第１態様又は第１態様のいずれか１つの可能な実施態様における通信方法を実行するためのモジュールを含む。
【００２３】
第４態様では、本開示に係るネットワーク機器であって、第２態様又は第２態様のいずれか１つの可能な実施態様における通信方法を実行するためのモジュールを含む。
【００２４】
第５態様では、本開示に係る通信システムであって、第３態様の端末及び第４態様のネットワーク機器を備える。
【００２５】
第６態様では、本開示に係る端末であって、受信機、送信機、プロセッサ及びメモリを備え、前記メモリはコードを記憶することに用いられ、前記プロセッサは前記メモリにおけるコードを実行することに用いられ、前記受信機及び送信機は他の装置と通信することに用いられる。前記コードが実行されるとき、前記プロセッサは前記受信機及び送信機を呼び出して第１態様又は第１態様のいずれか１つの可能な実施態様における通信方法を実現する。
【００２６】
第７態様では、本開示に係るネットワーク機器であって、受信機、送信機、プロセッサ及びメモリを備え、前記メモリはコードを記憶することに用いられ、前記プロセッサは前記メモリにおけるコードを実行することに用いられ、前記受信機及び送信機は他の装置と通信することに用いられる。前記コードが実行されるとき、前記プロセッサが前記受信機及び送信機を呼び出して第２態様又は第２態様のいずれか１つの可能な実施態様における通信方法を実現する。
【００２７】
第８態様では、本開示に係る通信システムであって、第６態様の端末及び第７態様のネットワーク機器を備える。
【００２８】
第９態様では、本開示に係るコンピュータ可読媒体であって、端末が実行するためのプログラムコードを記憶し、前記プログラムコードは第１態様又は第１態様のいずれか１つの可能な実施態様における通信方法を実行するための命令を含む。
【００２９】
第１０態様では、本開示に係るコンピュータ可読媒体であって、ネットワーク機器が実行するためのプログラムコードを記憶し、前記プログラムコードは第２態様又は第２態様のいずれか１つの可能な実施態様における通信方法を実行するための命令を含む。
【図面の簡単な説明】
【００３０】
【図１】図１は本開示を応用できる通信方法の概略システムアーキテクチャ図である。
【図２】図２は本開示の実施例の通信方法におけるリソース割り当てを示す概略図である。
【図３】図３は本開示の実施例の通信方法の概略フローチャートである。
【図４】図４は本開示の実施例の通信方法の概略フローチャートである。
【図５】図５は本開示の実施例の通信方法におけるリソース割り当てを示す概略図である。
【図６】図６は本開示の実施例の通信方法におけるリソース割り当てを示す概略図である。
【図７】図７は本開示の実施例の端末の概略構造図である。
【図８】図８は本開示の実施例のネットワーク機器の概略構造図である。
【図９】図９は本開示の実施例の端末の概略構造図である。
【図１０】図１０は本開示の実施例のネットワーク機器の概略構造図である。
【発明を実施するための形態】
【００３１】
理解しやすくするために、まず本開示の実施例の通信方法を実施できる通信システムの例示的なチャートを全体的に説明する。本開示の実施例は図１に示すシステムアーキテクチャに限らず、なお、図１における装置はハードウェアであってもよいし、機能的に区別されたソフトウェア又はハードウェアとソフトウェアとの組み合わせであってもよいと理解すべきである。
【００３２】
図１に示す通信システムは端末１１０及びネットワーク機器１２０を備える。端末１１０とネットワーク機器１２０とが相互に通信できる。
【００３３】
本開示の実施例において、端末１１０はユーザー装置（ＵＥ：Ｕｓｅｒ  Ｅｑｕｉｐｍｅｎｔ）と称されてもよい。ＵＥは無線アクセスネットワーク（ＲＡＮ：Ｒａｄｉｏ  Ａｃｃｅｓｓ  Ｎｅｔｗｏｒｋ）経由で１つ又は複数のコアネットワーク（Ｃｏｒｅ  Ｎｅｔｗｏｒｋ）と通信することができる。ＵＥは更にアクセス端末、端末装置、ユーザー要素、加入者局、移動局、トラバーサー、遠隔局、遠隔端末、モバイルデバイス、ユーザー端末、無線通信装置、ユーザーエージェント又はユーザーデバイスと称されてもよい。ＵＥはセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス及び将来５Ｇネットワークにおける端末装置等であってもよい。
【００３４】
本開示の実施例において、ネットワーク機器１２０はモバイル通信用グローバル（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎ）システム又は符号分割多元接続（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）であってもよく、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおける基地局（ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）、又は将来５Ｇネットワークにおける基地局装置、小型基地局装置等であってもよく、本開示は制限しない。
【００３５】
端末１１０とネットワーク機器１２０とが１つのタイムスロットにおける１つ又は複数の時間領域シンボルを使用してアップリンク信号又はアップリンクチャネルを伝送し、例えば物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を伝送することができる。
【００３６】
一般的に、ネットワーク機器１２０が端末１１０のためにいくつかのアップリンク信号又はアップリンクチャネルを伝送するためのリソースを予約し、例えば、図２に示すように、ＰＵＣＣＨを伝送するためにリソースを予約する。このため、通信システムに大量のリソースフラグメンテーションがある。これらのリソースフラグメンテーションが他のチャネルに使用できないと、リソースの浪費となり、このため、リソースの利用率がより低い。
【００３７】
通信システムにはいくつかのアップリンク信号又はアップリンクチャネルのためにリソースを予約すると、これらのアップリンク信号又はアップリンクチャネルのために予約したリソースの占有した時間領域シンボルにおけるすべてのリソースがいずれも他のアップリンク信号又はアップリンクチャネルに使用できない恐れがあり、このため、予約したリソースの占有した時間領域シンボルにおけるリソースフラグメンテーションの浪費となり、更にリソースの利用率を低下させてしまう。
【００３８】
従って、本開示は端末がネットワーク機器の指示に従ってリソースフラグメンテーションを十分且つ合理的に使用してアップリンクチャネル又はアップリンク信号を伝送することにより、リソースの利用率を向上させることができる新しい通信方法を提供する。
【００３９】
図３は本開示の実施例の通信方法の概略フローチャートである。図３に通信方法のステップ又は操作を示すが、これらのステップ又は操作は例示的なものに過ぎず、本開示の実施例は更に他の操作又は図３における各操作の変形を実行することができると理解すべきである。
【００４０】
Ｓ３１０において、ネットワーク機器が第１リソースを示すための第１指示情報を端末に送信する。
【００４１】
Ｓ３２０において、ネットワーク機器は端末が第１指示情報に基づいて第２リソースにおける第１リソースと重ならない第３リソースを使用して送信したアップリンクチャネル又はアップリンク信号を受信する。
【００４２】
本開示の実施例の通信方法において、ネットワーク機器が第１リソースを示す第１指示情報を端末に送信することにより、端末は該第１指示情報の指示に従って第２リソースにおける第１リソースと重ならない第３リソースを使用してアップリンクチャネル又はアップリンク信号を送信することができ、従って端末は第１リソースを使用せずに、第２リソースにおけるリソースを十分に使用することができ、それによりリソースの利用率を向上させる。
【００４３】
それに対応して、本開示の実施例の端末の実行する通信方法の概略フローチャートは図４に示される。図４に通信方法のステップ又は操作を示すが、これらのステップ又は操作が例示的なものに過ぎず、本開示の実施例は更に他の操作又は図４における各操作の変形を実行することができると理解すべきである。
【００４４】
Ｓ４１０において、端末がネットワーク機器から送信される、第１リソースを示すための第１指示情報を受信する。
【００４５】
Ｓ４２０において、端末が第１指示情報に基づいて第２リソースにおける第１リソースと重ならない第３リソースを使用してネットワーク機器にアップリンクチャネル又はアップリンク信号を送信する。
【００４６】
本開示の実施例の通信方法において、端末はネットワーク機器から送信される、第１リソースを示す第１指示情報を受信し、該第１指示情報の指示に従って第２リソースにおける第１リソースと重ならない第３リソースを使用してアップリンクチャネル又はアップリンク信号を送信することができ、従って端末は第１リソースを使用せずに、第２リソースにおけるリソースを十分に使用することができ、それによりリソースの利用率を向上させる。
【００４７】
図３及び図４に示す通信方法において、第１リソースはネットワーク機器が該端末又は他の端末のネットワーク機器にアップリンク信号又はアップリンクチャネルを送信するために予約したリソースであってもよい。
【００４８】
具体的には、第１リソースは、該端末又は他の端末がアップリンク制御チャネル、アップリンクサウンディング信号又はランダムアクセスチャンネルをネットワーク機器に送信するために、ネットワーク機器によって予約されたリソースであってもよい。つまり、第１リソースは、該端末又は他の端末がアップリンク制御チャネル、アップリンクサウンディング信号又はランダムアクセスチャネルを送信する際に使用するリソースであってもよい。例えば、第１リソースは該端末又は他の端末がＰＵＣＣＨ、サウンディング参照信号（ＳＲＳ：Ｓｏｕｎｄｉｎｇ  Ｒｅｆｅｒｅｎｃｅ  Ｓｉｇｎａｌ）又は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を送信する際に使用するリソースであってもよい。
【００４９】
Ｓ３２０及びＳ４２０におけるアップリンクチャネルの一具体例はアップリンク物理共有チャネル（ＰＵＳＣＨ：Ｐｈｙｓｉｃａｌ  Ｕｐｌｉｎｋ  Ｓｈａｒｅｄ  Ｃｈａｎｎｅｌ）である。
【００５０】
第２リソースは端末がアップリンクチャネル又はアップリンク信号を送信する際に使用できるリソース、又はネットワーク機器が端末のために予め割り当てた該アップリンクチャネル又はアップリンク信号を送信するために使用すべきリソースであってもよい。
【００５１】
第１指示情報は具体的に第１リソースの占有した時間領域シンボルを示すことに用いられてもよく、又は第１指示情報は具体的に第１リソースの時間領域位置及び／又は第１リソースの周波数領域位置を示すことに用いられてもよい。
【００５２】
より具体的に、第１指示情報は具体的に第１リソースの占有した時間領域シンボルの位置及び／又は第１リソースの占有した時間領域シンボルの数を示すことに用いられてもよい。
【００５３】
端末とネットワーク機器とが第１リソースの占有した時間領域シンボルの位置を予め約束又は設定し、例えば第１リソースの占有した時間領域シンボルが第１リソースの属するタイムスロットにおける最後の時間領域シンボルである場合、第１指示情報は第１リソースの占有した時間領域シンボルの数のみを示してもよく、このように、端末は第１指示情報の指示に従って第１リソースの占有した時間領域シンボルの位置を決定することもできる。
【００５４】
第１指示情報が第１リソースの占有したＮ（Ｎが非負数である）個の時間領域シンボルを示すことに用いられる場合、一般的に、ネットワーク機器が端末に第１指示情報を送信することは、ネットワーク機器が該第１指示情報を搬送しているダウンリンク制御シグナリングを端末に送信することで実現してもよい。
【００５５】
それに対応して、端末がネットワーク機器から送信される第１指示情報を受信することは、端末が該第１指示情報を搬送しているネットワーク機器のダウンリンク制御シグナリングを受信することで実現してもよい。
【００５６】
ダウンリンク制御シグナリングは具体的にダウンリンク制御情報（ＤＣＩ：Ｄｏｗｎ−Ｌｉｎｋ  Ｃｏｎｔｒｏｌ  Ｉｎｆｏｒｍａｔｉｏｎ）であってもよい。
【００５７】
好ましくは、上記ダウンリンク制御シグナリングには更に端末がアップリンクチャネル又はアップリンク信号を送信することを示すための第２指示情報を搬送してもよい。
【００５８】
つまり、ネットワーク機器は第２指示情報を搬送しているダウンリンク制御シグナリングを端末に送信することができ、第２指示情報は端末をスケジューリングしてアップリンクチャネル又はアップリンク信号を送信することに用いられる。同時に、該ダウンリンク制御シグナリングには更に第１リソースの占有したＮ個の時間領域シンボルを示すための第１指示情報を搬送している。このように、端末は該ダウンリンク制御シグナリングを受信して、第２指示情報のスケジューリングによってアップリンク信号又はアップリンクチャネルを送信するとき、更に第１指示情報の指示に従って該アップリンク信号又はアップリンクチャネルを送信する際に使用すべきリソース、つまり第２リソースにおける第１リソースと重ならない第３リソースを決定することができる。
【００５９】
Ｎが０である場合、端末が第２リソースにおけるすべてのリソースを使用でき、つまり第３リソースが第２リソースであってもよいと示される。
【００６０】
以下、ＰＵＣＣＨ及びＰＵＳＣＨを例とし、図５及び図６を参照しながら本開示の実施例の通信方法におけるリソースの使用概略図を説明する。
【００６１】
図５に示すように、ネットワーク機器がＰＵＣＣＨのために予約した第１リソースは対応する端末にＰＵＣＣＨの送信に確実に使用される場合、ネットワーク機器は該第１リソースの占有したＮ個の時間領域シンボルを示す第１指示情報を該端末及び／又は他のものに送信することができる。このように、これらの端末は該第１指示情報を受信すると、第３リソースを使用してＰＵＳＣＨを伝送することができ、第３リソースがこのＮ個の時間領域シンボル以外の他の時間領域シンボルを占有する。
【００６２】
図６に示すように、ネットワーク機器がＰＵＣＣＨのために予約したリソースは対応する端末にＰＵＣＣＨの送信に実際に使用されていない場合、ＰＵＣＣＨのために予約したリソースがＮ個の時間領域シンボルを占有したが、ネットワーク機器は第１リソースの占有した０個の時間領域シンボルを示す第１指示情報を該端末及び／又は他のものに送信することもできる。このように、これらの端末は該第１指示情報を受信すると、第３リソースを使用してＰＵＳＣＨを伝送することができ、第３リソースがＰＵＣＣＨのために予約したリソースの占有したＮ個の時間領域シンボルを占有してもよい。
【００６３】
図５及び図６から直接分かるように、本開示の実施例の通信方法において、ネットワーク機器は第１リソースを示すための指示情報によって端末にネットワーク機器の予約したリソースを柔軟、合理的且つ十分に使用してアップリンクリソース又はアップリンクチャネルを送信させることができ、それによりリソースの利用率を向上させる。
【００６４】
第１指示情報は具体的に第１リソースの時間領域位置及び／又は周波数領域位置を示すことに用いられる場合、一般的に、ネットワーク機器が端末に第１指示情報を送信することは、ネットワーク機器が第１指示情報を搬送している上位層シグナリングを端末に送信することで実現してもよい。
【００６５】
この時、Ｓ４２０では、端末の送信したアップリンクチャネル又はアップリンク信号はネットワーク機器がダウンリンク制御シグナリングによってスケジューリングしたアップリンクチャネル又はアップリンク信号、例えばＰＵＳＣＨであってもよく、半静的アップリンクチャネル又はアップリンク信号、例えば半静的ＰＵＳＣＨであってもよく、更に非スケジューリングされたアップリンクチャネル又はアップリンク信号であってもよい。
【００６６】
好ましくは、第１指示情報は第１リソースの占有したＮ個の時間領域シンボルを示すことに用いられる場合、図４に示す通信方法のＳ４２０では、端末が第１指示情報に基づいて第２リソースにおける第１リソースと重ならない第３リソースを使用してネットワーク機器にアップリンクチャネル又はアップリンク信号を送信することは、
端末が第１指示情報に基づいて第２リソースにおける第３リソースを使用してネットワーク機器にアップリンクチャネル又はアップリンク信号を送信することを含み、第３リソースの占有したＭ（Ｍが正整数である）個の時間領域シンボルはＮ個の時間領域シンボルを含まない。
【００６７】
それに対応して、図３に示す通信方法のＳ３２０では、ネットワーク機器は端末が第１指示情報に基づいて第２リソースにおける第１リソースと重ならない第３リソースを使用して送信したアップリンクチャネル又はアップリンク信号を受信することは、
ネットワーク機器が端末の第１指示情報に基づいて第２リソースにおける第３リソースを使用して送信したアップリンクチャネル又はアップリンク信号を受信することを含み、第３リソースの占有したＭ（Ｍが正整数である）個の時間領域シンボルは前記Ｎ個の時間領域シンボルを含まない。
【００６８】
つまり、ネットワーク機器は第１指示情報によって端末の第１リソースの占有したＮ個の時間領域シンボルを示してもよく、このように、端末は第１指示情報の指示に従ってこのＮ個の時間領域シンボルを含まない第３リソースを使用してアップリンク信号又はアップリンクチャネルを送信することができ、従って端末が第１リソースを使用して該アップリンク信号又はアップリンクチャネルを送信するため、第１リソースを使用する他のアップリンク信号又はアップリンクチャネルの伝送に影響することを避けることができる。
【００６９】
好ましくは、第１指示情報は第１リソースの時間領域位置及び／又は周波数領域位置を示すことに用いられる場合、図４に示す通信方法のＳ４２０では、端末が第１指示情報に基づいて第２リソースにおける第１リソースと重ならない第３リソースを使用してネットワーク機器にアップリンクチャネル又はアップリンク信号を送信することは、
端末が第２リソースにおけるリソースユニットの第１数を決定することと、端末が第１数に基づいてアップリンクチャネル又はアップリンク信号に対してレートマッチングを行って、長さが第１ビット数の出力系列を取得することであって、第１ビット数が第１数に基づいて端末により決定されたものであることと、端末が出力系列を変調して、第１数の変調シンボルを取得することと、端末が第１数の変調シンボルを第２リソースにおけるリソースユニットにマッピングすることと、を含み、端末が第１数の変調シンボルのうちの第１リソースユニットにマッピングした変調シンボルを廃棄し、第１リソースユニットが第２リソースにおける第１リソースと重なるリソースユニットである。
【００７０】
それに対応して、図３に示す通信方法のＳ３２０では、ネットワーク機器が端末の第１指示情報に基づいて第２リソースにおける第３リソースを使用して送信したアップリンクチャネル又はアップリンク信号を受信することは、
ネットワーク機器が第２リソースに含まれるリソースユニットからアップリンクチャネル又はアップリンク信号に対応する変調シンボルを取得することを含み、変調シンボルの数が第２リソースに含まれるリソースユニットの数に等しく、ネットワーク機器が第１リソースユニットから取得した変調シンボルを廃棄し、第１リソースユニットが第２リソースにおける第１リソースと重なるリソースユニットである。
【００７１】
第２リソースにおけるリソースユニットの第１数は第２リソースにおけるリソースユニットの数を指す。
【００７２】
具体的には、端末はアップリンク信号又はアップリンクチャネルを送信するための第２リソースに含まれるリソースユニットの数を先に決定してもよい。次に、端末は第２リソースに含まれるリソースユニットの数に基づいて該アップリンク信号又はアップリンクチャネルに対してレートマッチングを行って、１つの出力系列を取得する。該出力系列のビット数が第２リソースに含まれるリソースユニットの数に関連し、又は該出力系列のビット数は端末が第２リソースに含まれるリソースユニットの数に基づいて決定したものである。端末が該出力系列を変調して、一定数の変調シンボルを取得し、該変調シンボルの数が第２リソースに含まれるリソースユニットの数に等しい。
【００７３】
つまり、第２リソースに含まれるリソースユニットの数が第１数であり、該出力系列のビット数が第１ビット数である場合、第１ビット数が第１数に基づいて端末により決定されたものであり、且つ変調シンボルの数が第１数に等しい。
【００７４】
次に、端末が第１数の変調シンボルを第２リソースに含まれるリソースユニットにマッピングする。マッピング過程は具体的に以下のとおりである。つまり、端末が第１数の変調シンボルのうちの任意の変調シンボルを第２リソースのリソースユニットにマッピングするとき、該変調シンボルをマッピングすべきリソースユニットは第２リソースと第１リソースとが重なるリソースにおけるリソースユニットである場合、端末が該変調シンボルを廃棄し、すなわち該変調シンボルを該リソースユニットにマッピングすることがなく、変調シンボルをマッピングすべきリソースユニットは第２リソースと第１リソースとが重なるリソースではない場合のみ、該変調シンボルを対応するリソースユニットにマッピングする。
【００７５】
このように、アップリンク信号又はアップリンクチャネルの第１数の変調シンボルがいずれも第２リソースにおける第１数のリソースユニットにマッピングされたが、実際に、第２リソースと第１リソースとが重なるリソースユニットに該アップリンク信号又はアップリンクチャネルの変調シンボルがマッピングされず、第２リソースと第１リソースとが重ならないリソースユニットにのみ該アップリンク信号又はアップリンクチャネルの変調シンボルがマッピングされる。この時、第２リソースと第１リソースとが重ならないリソースユニットは第３リソースを構成した。このようなリソースマッピング過程は更にパンクチャリングと称されてもよい。
【００７６】
第２リソースにおけるリソースユニットの第１数がｋであると仮定する場合、第１リソースと第２リソースとが重なるリソースユニットの数はｓであり、アップリンク信号又はアップリンクチャネルのｋ個の変調シンボルをｋ個のリソースユニットにマッピングするとき、このｋ個のリソースユニットのうちのｓ個のリソースユニットに該アップリンク信号又はアップリンクチャネルの変調シンボルが実際にマッピングされていない。
【００７７】
上記端末が第１指示情報で示す第１リソースに基づいてアップリンク信号又はアップリンクチャネルを送信する方法におけるリソースマッピング過程によって、端末は該アップリンク信号又はアップリンクチャネルを送信するとき、第１リソースを占有せず、且つ他のアップリンク信号又はアップリンクチャネルの伝送に影響せずに、第１リソースに関連するリソースフラグメンテーションを十分に使用することができる。
【００７８】
ネットワーク機器が第１リソースユニットから取得した変調シンボルを廃棄することとは、ネットワーク機器が第２リソースのリソースユニットにベアリングする変調番号を取得することにより、対応するアップリンクチャネル又はアップリンク信号を取得するとき、該第１リソースユニットから取得した変調シンボルを廃棄することを意味すると説明すべきである。しかしながら、該第１リソースユニットに実際にベアリングする変調シンボルは他のアップリンク信号又はアップリンクチャネルの取得に使用されてもよいものである。
【００７９】
好ましくは、第１指示情報は第１リソースの時間領域位置及び／又は周波数領域位置を示すことに用いられる場合、図４に示す通信方法のＳ４２０では、端末が第１指示情報に基づいて第２リソースにおける第１リソースと重ならない第３リソースを使用してネットワーク機器にアップリンクチャネル又はアップリンク信号を送信することは、
端末が第２リソースにおける第１リソースと重ならない第１リソースユニットの第２数を決定することと、端末が第２数に基づいてアップリンクチャネル又はアップリンク信号に対してレートマッチングを行って、長さが第２ビット数の出力系列を取得し、第２ビット数が第２数に基づいて端末により決定されたものであることと、端末が出力系列を変調して、第２数の変調シンボルを取得することと、端末が第２数の変調シンボルを第２数の第１リソースユニットにマッピングすることと、を含む。
【００８０】
それに対応して、図３に示す通信方法のＳ３２０では、ネットワーク機器が端末の第１指示情報に基づいて第２リソースにおける第３リソースを使用して送信したアップリンクチャネル又はアップリンク信号を受信することは、
ネットワーク機器が第２リソースに含まれるリソースユニットのうちの第１リソースユニットからアップリンクチャネル又はアップリンク信号に対応する変調シンボルを取得することを含み、変調シンボルの数が第２リソースに含まれる第１リソースユニットの数に等しく、第１リソースユニットが第２リソースにおける第１リソースと重ならないリソースユニットである。
【００８１】
第２リソースにおける第１リソースユニットの第２数は第２リソースにおける第１リソースユニットの数を指す。
【００８２】
具体的には、端末はアップリンク信号又はアップリンクチャネルを送信するための第２リソースと第１リソースとが重ならないリソースユニット（以下に説明しやすくするために、重なるリソースユニットは第１リソースユニットと称される）の数（以下に説明しやすくするために、該数は第２数と称される）を先に決定してもよい。次に、端末は第２数に基づいて該アップリンク信号又はアップリンクチャネルに対してレートマッチングを行って、１つの出力系列を取得する。該出力系列のビット数（以下に説明しやすくするために、該ビット数は第１ビット数と称される）が第２数に関連し、又は該第１ビット数が第２数に基づいて端末により決定されたものである。端末が該出力系列を変調して、一定数の変調シンボルを取得し、該変調シンボルの数が第２数に等しい。
【００８３】
つまり、第２リソースと第１リソースとが重なる第１リソースユニットの数は第２数である場合、第１ビット数が第１数に基づいて端末により決定されたビット数であり、且つ変調シンボルの数が第２数に等しい。
【００８４】
次に、端末が第２数の変調シンボルを第２リソースに含まれる第２数の第１リソースユニットにマッピングする。マッピング過程は具体的に以下のとおりである。つまり、端末が第２数の変調シンボルのうちの任意の変調シンボルを第２リソースのリソースユニットにマッピングするとき、該変調シンボルをマッピングすべきリソースユニットは第２リソースと第１リソースとが重なるリソースにおけるリソースユニットである場合、端末は該リソースユニットをスキップし続け、次のリソースユニットにマッピングし続け、該リソースユニットは第１リソースと第２リソースとが重ならないリソースユニット、すなわち第１リソースユニットであると決定するまで、該変調シンボルを対応するリソースユニットにマッピングする。
【００８５】
このように、第２リソースと第１リソースとが重ならない第１リソースユニットにのみ該アップリンク信号又はアップリンクチャネルの変調シンボルがマッピングされる。この時、第２リソースと第１リソースとが重ならないリソースユニットは第３リソースを構成した。
【００８６】
第２リソースにおける第１リソースユニットの第２数がｋであると仮定する場合、アップリンク信号又はアップリンクチャネルのｋ個の変調シンボルをｋ個の第１リソースユニットにマッピングすることができる。
【００８７】
上記端末が第１指示情報で示す第１リソースに基づいてアップリンク信号又はアップリンクチャネルを送信する方法におけるリソースマッピング過程によって、端末は該アップリンク信号又はアップリンクチャネルを送信するとき、第１リソースを占有せず、且つ他のアップリンク信号又はアップリンクチャネルの伝送に影響せずに、第１リソースに関連するリソースフラグメンテーションを十分に使用することができる。
【００８８】
以上は本開示の実施例の通信方法を説明したが、以下に本開示の実施例の端末、ネットワーク機器及び通信システムを説明する。
【００８９】
図７は本開示の実施例の端末７００の概略構造図である。図７に示す端末は例示的なものに過ぎず、本開示の実施例の端末は更に他のモジュール又はユニットを含んでもよく、又は、図７における各モジュールの機能と同様のモジュールを含み、又は、図７におけるすべてのモジュールを含むことではないと理解すべきである。
【００９０】
受信モジュール７１０は、ネットワーク機器から送信される、第１リソースを示すための第１指示情報を受信することに用いられる。
【００９１】
送信モジュール７２０は、前記第１指示情報に基づいて第２リソースにおける前記第１リソースと重ならない第３リソースを使用して前記ネットワーク機器にアップリンクチャネル又はアップリンク信号を送信することに用いられる。
【００９２】
本開示の実施例の端末は、ネットワーク機器から送信される第１指示情報に基づいて第２リソースにおける第１指示情報で示す第１リソースと重ならない第３リソースを使用してアップリンク信号又はアップリンクチャネルを送信することができ、従って端末はネットワーク機器の指示情報に基づいて第２リソースにおけるリソースを柔軟に使用してアップリンク信号又はアップリンクチャネルを送信することにより、第２リソースにおけるリソースの利用率を向上させることができる。
【００９３】
好ましくは、一実施例として、前記第１指示情報は前記第１リソースの時間領域位置及び／又は前記第１リソースの周波数領域位置を示すことに用いられる。
【００９４】
好ましくは、一実施例として、前記送信モジュールは、具体的に、前記第２リソースにおけるリソースユニットの第１数を決定し、前記第１数に基づいて前記アップリンクチャネル又は前記アップリンク信号に対してレートマッチングを行って、長さが第１ビット数の出力系列を取得し、前記第１ビット数が前記第１数に基づいて前記端末により決定されたものであり、前記出力系列を変調して、前記第１数の変調シンボルを取得し、前記第１数の変調シンボルを前記第２リソースにおけるリソースユニットにマッピングすることに用いられ、前記第１数の変調シンボルのうちの第１リソースユニットにマッピングした変調シンボルを廃棄し、前記第１リソースユニットが前記第２リソースにおける前記第１リソースと重なるリソースユニットである。
【００９５】
好ましくは、一実施例として、前記送信モジュールは、具体的に、前記第２リソースにおける前記第１リソースと重ならない第１リソースユニットの第２数を決定し、前記第２数に基づいて前記アップリンクチャネル又は前記アップリンク信号に対してレートマッチングを行って、長さが第２ビット数の出力系列を取得し、前記第２ビット数が前記第２数に基づいて前記端末により決定されたものであり、前記出力系列を変調して、前記第２数の変調シンボルを取得し、前記第２数の変調シンボルを前記第２数の前記第１リソースユニットにマッピングすることに用いられる。
【００９６】
好ましくは、一実施例として、前記第１指示情報は第１リソースの占有したＮ（Ｎが非負整数である）個の時間領域シンボルを示すことに用いられ、前記送信モジュールは、具体的に、前記第１指示情報に基づいて第２リソースにおける第３リソースを使用して前記ネットワーク機器に前記アップリンクチャネル又は前記アップリンク信号を送信することに用いられ、前記第３リソースの占有したＭ（Ｍが正整数である）個の時間領域シンボルは前記Ｎ個の時間領域シンボルを含まない。
【００９７】
好ましくは、一実施例として、前記受信モジュールは、具体的に、前記ネットワーク機器から送信される、前記第１指示情報を搬送しているダウンリンク制御シグナリングを受信することに用いられ、前記ダウンリンク制御シグナリングには更に前記端末が前記アップリンクチャネル又は前記アップリンク信号を送信することを示すための第２指示情報を搬送している。
【００９８】
好ましくは、一実施例として、前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含む。
【００９９】
図７に示す本開示の実施例の端末７００の各ユニットの上記及び他の操作及び／又は機能はそれぞれ図４における通信方法の対応プロセスを実現するためのものであり、簡潔のため、詳細な説明は省略すると理解すべきである。
【０１００】
図８は本開示の実施例のネットワーク機器８００の概略構造図である。図８に示すネットワーク機器は例示的なものに過ぎず、本開示の実施例のネットワーク機器は更に他のモジュール又はユニットを含んでもよく、又は、図８における各モジュールの機能と同様のモジュールを含み、又は、図８におけるすべてのモジュールを含むことではないと理解すべきである。
【０１０１】
送信モジュール８１０は、第１リソースを示すための第１指示情報を端末に送信することに用いられる。
【０１０２】
受信モジュール８２０は、前記端末が前記第１指示情報に基づいて第２リソースにおける前記第１リソースと重ならない第３リソースを使用して送信したアップリンクチャネル又はアップリンク信号を受信することに用いられる。
【０１０３】
本開示の実施例のネットワーク機器において、端末に第１指示情報を送信することにより、端末は該第１指示情報に基づいて第２リソースにおける第１指示情報で示す第１リソースと重ならない第３リソースを使用してアップリンク信号又はアップリンクチャネルを送信することができ、従って端末はネットワーク機器の指示情報に基づいて第２リソースにおけるリソースを柔軟に使用してアップリンク信号又はアップリンクチャネルを送信することにより、第２リソースにおけるリソースの利用率を向上させることができる。
【０１０４】
好ましくは、一実施例として、前記第１指示情報は前記第１リソースの時間領域位置及び／又は前記第１リソースの周波数領域位置を示すことに用いられる。
【０１０５】
好ましくは、一実施例として、前記受信モジュールは、具体的に、前記第２リソースに含まれるリソースユニットから前記アップリンクチャネル又はアップリンク信号に対応する変調シンボルを取得することに用いられ、前記変調シンボルの数が前記第２リソースに含まれるリソースユニットの数に等しく、第１リソースユニットから取得した変調シンボルを廃棄し、前記第１リソースユニットが前記第２リソースにおける前記第１リソースと重なるリソースユニットである。
【０１０６】
好ましくは、一実施例として、前記受信モジュールは、具体的に、前記第２リソースに含まれるリソースユニットのうちの第１リソースユニットから前記アップリンクチャネル又はアップリンク信号に対応する変調シンボルを取得することに用いられ、前記変調シンボルの数が前記第２リソースに含まれる第１リソースユニットの数に等しく、前記第１リソースユニットが前記第２リソースにおける前記第１リソースと重ならないリソースユニットである。
【０１０７】
好ましくは、一実施例として、前記第１指示情報は第１リソースの占有したＮ（Ｎが非負整数である）個の時間領域シンボルを示すことに用いられ、前記受信モジュールは、具体的に、前記端末が前記第１指示情報に基づいて第２リソースにおける第３リソースを使用して送信した前記アップリンクチャネル又は前記アップリンク信号を受信することに用いられ、前記第３リソースの占有したＭ（Ｍが正整数である）個の時間領域シンボルは前記Ｎ個の時間領域シンボルを含まない。
【０１０８】
好ましくは、一実施例として、前記送信モジュールは、具体的に、前記第１指示情報を搬送しているダウンリンク制御シグナリングを前記端末に送信することに用いられ、前記ダウンリンク制御シグナリングには更に前記端末が前記アップリンクチャネル又は前記アップリンク信号を送信することを示すための第２指示情報を搬送している。
【０１０９】
好ましくは、一実施例として、前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含む。
【０１１０】
図８に示す本開示の実施例のネットワーク機器８００の各ユニットの上記及び他の操作及び／又は機能はそれぞれ図３における通信方法の対応プロセスを実現するためのものであり、簡潔のため、詳細な説明は省略すると理解すべきである。
【０１１１】
図９は本開示の実施例の端末９００の概略構造図である。端末９００はメモリ９１０、プロセッサ９２０、受信機９３０及び送信機９４０を備える。
【０１１２】
メモリ９１０はプログラムを記憶することに用いられる。
【０１１３】
プロセッサ９２０は前記メモリ９１０に記憶されるプログラムを実行することに用いられる。
【０１１４】
受信機９３０はプロセッサによって呼び出されてネットワーク機器から送信される、第１リソースを示すための第１指示情報を受信することに用いられる。
【０１１５】
送信機９４０はプロセッサ９２０によって呼び出されて前記第１指示情報に基づいて第２リソースにおける前記第１リソースと重ならない第３リソースを使用して前記ネットワーク機器にアップリンクチャネル又はアップリンク信号を送信することに用いられる。
【０１１６】
本開示の実施例の端末は、ネットワーク機器から送信される第１指示情報に基づいて第２リソースにおける第１指示情報で示す第１リソースと重ならない第３リソースを使用してアップリンク信号又はアップリンクチャネルを送信することができ、従って端末はネットワーク機器の指示情報に基づいて第２リソースにおけるリソースを柔軟に使用してアップリンク信号又はアップリンクチャネルを送信することにより、第２リソースにおけるリソースの利用率を向上させることができる。
【０１１７】
好ましくは、一実施例として、前記第１指示情報は前記第１リソースの時間領域位置及び／又は前記第１リソースの周波数領域位置を示すことに用いられる。
【０１１８】
好ましくは、一実施例として、前記送信機は、具体的に、前記第２リソースにおけるリソースユニットの第１数を決定し、前記第１数に基づいて前記アップリンクチャネル又は前記アップリンク信号に対してレートマッチングを行って、長さが第１ビット数の出力系列を取得し、前記第１ビット数が前記第１数に基づいて前記端末により決定されたものであり、前記出力系列を変調して、前記第１数の変調シンボルを取得し、前記第１数の変調シンボルを前記第２リソースにおけるリソースユニットにマッピングすることに用いられ、前記第１数の変調シンボルのうちの第１リソースユニットにマッピングした変調シンボルを廃棄し、前記第１リソースユニットが前記第２リソースにおける前記第１リソースと重なるリソースユニットである。
【０１１９】
好ましくは、一実施例として、前記送信機は、具体的に、前記第２リソースにおける前記第１リソースと重ならない第１リソースユニットの第２数を決定し、前記第２数に基づいて前記アップリンクチャネル又は前記アップリンク信号に対してレートマッチングを行って、長さが第２ビット数の出力系列を取得し、前記第２ビット数が前記第２数に基づいて前記端末により決定されたものであり、前記出力系列を変調して、前記第２数の変調シンボルを取得し、前記第２数の変調シンボルを前記第２数の前記第１リソースユニットにマッピングすることに用いられる。
【０１２０】
好ましくは、一実施例として、前記第１指示情報は第１リソースの占有したＮ（Ｎが非負整数である）個の時間領域シンボルを示すことに用いられ、前記送信機は、具体的に、前記第１指示情報に基づいて第２リソースにおける第３リソースを使用して前記ネットワーク機器に前記アップリンクチャネル又は前記アップリンク信号を送信することに用いられ、前記第３リソースの占有したＭ（Ｍが正整数である）個の時間領域シンボルは前記Ｎ個の時間領域シンボルを含まない。
【０１２１】
好ましくは、一実施例として、前記受信機は、具体的に、前記ネットワーク機器から送信される、前記第１指示情報を搬送しているダウンリンク制御シグナリングを受信することに用いられ、前記ダウンリンク制御シグナリングには更に前記端末が前記アップリンクチャネル又は前記アップリンク信号を送信することを示すための第２指示情報を搬送している。
【０１２２】
好ましくは、一実施例として、前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含む。
【０１２３】
図９に示す本開示の実施例の端末は図９に示す端末に対応してもよく、且つ本開示の実施例の端末における各ユニットの上記及び他の操作及び／又は機能はそれぞれ図４における通信方法の対応プロセスを実現するためのものであり、簡潔のため、詳細な説明は省略すると理解すべきである。
【０１２４】
図１０は本開示の実施例のネットワーク機器１０００の概略構造図である。ネットワーク機器１０００はメモリ１０１０、プロセッサ１０２０、受信機１０３０及び送信機１０４０を備える。
【０１２５】
メモリ１０１０はプログラムを記憶することに用いられる。
【０１２６】
プロセッサ１０２０は前記メモリ１０１０に記憶されるプログラムを実行することに用いられる。
【０１２７】
送信機１０４０はプロセッサによって呼び出されて第１リソースを示すための第１指示情報を端末に送信することに用いられる。
【０１２８】
受信機１０３０はプロセッサによって呼び出されて前記端末が前記第１指示情報に基づいて第２リソースにおける前記第１リソースと重ならない第３リソースを使用して送信したアップリンクチャネル又はアップリンク信号を受信することに用いられる。
【０１２９】
本開示の実施例のネットワーク機器において、端末に第１指示情報を送信することにより、端末は該第１指示情報に基づいて第２リソースにおける第１指示情報で示す第１リソースと重ならない第３リソースを使用してアップリンク信号又はアップリンクチャネルを送信することができ、従って端末はネットワーク機器の指示情報に基づいて第２リソースにおけるリソースを柔軟に使用してアップリンク信号又はアップリンクチャネルを送信することにより、第２リソースにおけるリソースの利用率を向上させることができる。
【０１３０】
好ましくは、一実施例として、前記第１指示情報は前記第１リソースの時間領域位置及び／又は前記第１リソースの周波数領域位置を示すことに用いられる。
【０１３１】
好ましくは、一実施例として、前記受信機は、具体的に、前記第２リソースに含まれるリソースユニットから前記アップリンクチャネル又はアップリンク信号に対応する変調シンボルを取得することに用いられ、前記変調シンボルの数が前記第２リソースに含まれるリソースユニットの数に等しく、第１リソースユニットから取得した変調シンボルを廃棄し、前記第１リソースユニットが前記第２リソースにおける前記第１リソースと重なるリソースユニットである。
【０１３２】
好ましくは、一実施例として、前記受信機は、具体的に、前記第２リソースに含まれるリソースユニットのうちの第１リソースユニットから前記アップリンクチャネル又はアップリンク信号に対応する変調シンボルを取得することに用いられ、前記変調シンボルの数が前記第２リソースに含まれる第１リソースユニットの数に等しく、前記第１リソースユニットが前記第２リソースにおける前記第１リソースと重ならないリソースユニットである。
【０１３３】
好ましくは、一実施例として、前記第１指示情報は第１リソースの占有したＮ（Ｎが非負整数である）個の時間領域シンボルを示すことに用いられ、前記受信機は、具体的に、前記端末が前記第１指示情報に基づいて第２リソースにおける第３リソースを使用して送信した前記アップリンクチャネル又は前記アップリンク信号を受信することに用いられ、前記第３リソースの占有したＭ（Ｍが正整数である）個の時間領域シンボルは前記Ｎ個の時間領域シンボルを含まない。
【０１３４】
好ましくは、一実施例として、前記送信機は、具体的に、前記第１指示情報を搬送しているダウンリンク制御シグナリングを前記端末に送信することに用いられ、前記ダウンリンク制御シグナリングには更に前記端末が前記アップリンクチャネル又は前記アップリンク信号を送信することを示すための第２指示情報を搬送している。
【０１３５】
好ましくは、一実施例として、前記第１リソースは、前記端末又は他の端末がアップリンク制御チャネル、アップリンクサウンディング信号又はランダムアクセスチャネルを送信する際に使用するリソースであり、前記アップリンクチャネルはアップリンク共有チャネルを含む。
【０１３６】
図１０に示す本開示の実施例のネットワーク機器は図１０に示すネットワーク機器に対応してもよく、且つ本開示の実施例のネットワーク機器における各ユニットの上記及び他の操作及び／又は機能はそれぞれ図３における通信方法の対応プロセスを実現するためのものであり、簡潔のため、詳細な説明は省略すると理解すべきである。
【０１３７】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本開示の範囲を超えると見なされるべきではない。
【０１３８】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１３９】
本開示に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４０】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４１】
また、本開示の各実施例において、各機能ユニットは１つの処理ユニットに統合されてもよく、各ユニットは独立して物理的に存在してもよく、２つ又は２つ以上のユニットは１つのユニットに統合されてもよい。
【０１４２】
前記機能はソフトウェア機能ユニットの形式で実現され、且つ独立した製品として販売又は使用されるとき、１つのコンピュータ可読記憶媒体に記憶されてもよい。このような理解に基づき、本開示の技術案の本質又は従来技術に貢献する部分又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本開示の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４３】
以上の説明は、本開示の具体的な実施形態であって、本開示の保護範囲を制限するためのものではなく、当業者が本開示に開示される技術的範囲内に容易に想到し得る変更や置換は、いずれも本開示の保護範囲内に含まれるべきである。従って、本開示の保護範囲は特許請求の範囲に準じるべきである。
【図１】
0006953519.tif 000002
【図２】
0006953519.tif 000003
【図３】
0006953519.tif 000004
【図４】
0006953519.tif 000005
【図５】
0006953519.tif 000006
【図６】
0006953519.tif 000007
【図７】
0006953519.tif 000008
【図８】
0006953519.tif 000009
【図９】
0006953519.tif 000010
【図１０】
0006953519.tif 000011